(57)【要約】【課題】クロノグラフ針がどの位置に停止していても、クロノグラフ針を速やかに零位置まで戻すことができるようにすること。【解決手段】クロノグラフ用１／１０秒針１１２及びクロノグラフ用秒分連動針１１５を有し、制御回路１０６は、竜頭を操作したときにリセットボタンが操作されていない場合には、スタートボタンに対してクロノグラフ用１／１０秒針１１２を正転リセットする機能を設定すると共に、リセットボタンに対してクロノグラフ用秒分連動針１１５を正転リセットする機能を設定する。また、制御回路１０６は、竜頭を操作したときにリセットボタンが操作されている場合には、スタートボタンに対してクロノグラフ用秒分連動針１１５を逆転リセットする機能を設定すると共に、リセットボタンに対してクロノグラフ用秒分連動針１１５を正転リセットする機能を設定する。【選択図】    図１
2004226078.tif 000002
【特許請求の範囲】
【請求項１】
竜頭、時間計測の開始及び停止を行うためのスタートボタン及びクロノグラフ針を零位置に戻すためのリセットボタンを有するクロノグラフ時計において、
前記竜頭を操作したときに前記リセットボタンが既に操作されているか否かに応じて、前記クロノグラフ針をリセットする際の前記スタートボタン及びリセットボタンのリセット用機能を、前記スタートボタン及びリセットボタンのリセット用機能が相違する複数のリセットモードに移行させる制御手段を備えて成ることを特徴とするクロノグラフ時計。
【請求項２】
前記制御手段は、前記リセットモードにおいて前記スタートボタン及びリセットボタンに対して、前記クロノグラフ針及び該クロノグラフ針のリセット時回転方向を対応付けることを特徴とする請求項１記載のクロノグラフ時計。
【請求項３】
クロノグラフ用１／１０秒針及びクロノグラフ用秒分連動針を有し、前記制御手段は、前記竜頭を操作したときに前記リセットボタンが未だ操作されていない場合には、前記スタートボタンに対して前記クロノグラフ用１／１０秒針を正転リセットする機能を設定すると共に、前記リセットボタンに対して前記クロノグラフ用秒分連動針を正転リセットする機能を設定することを特徴とする請求項１又は２記載のクロノグラフ時計。
【請求項４】
クロノグラフ用秒分連動針を有し、前記制御手段は、前記竜頭を操作したときに前記リセットボタンが既に操作されている場合には、前記スタートボタンに対して前記クロノグラフ用秒分連動針を逆転リセットする機能を設定すると共に、前記リセットボタンに対して前記クロノグラフ用秒分連動針を正転リセットする機能を設定することを特徴とする請求項１又は２記載のクロノグラフ時計。
【請求項５】
クロノグラフ用１／１０秒針及び秒針を有し、前記制御手段は、前記竜頭を操作したときに前記リセットボタンが未だ操作されていない場合には、前記スタートボタンに対して前記クロノグラフ用１／１０秒針を正転リセットする機能を設定すると共に、前記リセットボタンに対して前記クロノグラフ用秒針を正転リセットする機能を設定することを特徴とする請求項１又は２記載のクロノグラフ時計。
【請求項６】
クロノグラフ用分針を有し、前記制御手段は、前記竜頭を操作したときに前記リセットボタンが既に操作されている場合には、前記スタートボタンに対して前記クロノグラフ用分針を正転リセットする機能を設定すると共に、前記リセットボタンに対して前記クロノグラフ用分針を逆転リセットする機能を設定することを特徴とする請求項１又は２記載のクロノグラフ時計。
【発明の詳細な説明】
【０００１】
【発明の属する技術分野】
本発明は、クロノグラフ機能を有するクロノグラフ時計に関する。
【０００２】
【従来の技術】
従来から、現在時刻を表すための時刻針と、計測した時間間隔を表示するためのクロノグラフ針（例えば、１／１０秒単位の表示を行うクロノグラフ用１／１０秒針、１秒単位の表示を行うクロノグラフ用秒針、１分単位の表示を行うクロノグラフ用分針、前記秒針と分針が連動するクロノグラフ用秒分連動針）とを有するクロノグラフ時計が使用されている。クロノグラフ時計には、計測終了後等にクロノグラフ針をリセットして零位置に復帰させるためのリセット機能が設けられている。
【０００３】
例えば、特許文献１に記載されたクロノグラフ時計においては、竜頭を引き操作することによってクロノグラフ針をリセットするためのリセットモードに入ることができる。前記リセットモードでは、スタートボタンを操作することによってリセットを行うクロノグラフ針を選択し、リセットボタンを操作することによって、選択したクロノグラフ針をリセットして零位置に復帰させるように構成されている。
また、特許文献２に記載されたクロノグラフ時計においては、竜頭の操作は不要であるが、スタートボタン及びリセットボタンを同時に押圧操作することによってクロノグラフ針をリセットするためのリセットモードに入ることができる。
前記リセットモードでは、スタートボタンを操作することによってリセットを行うクロノグラフ針を選択し、リセットボタンを操作することによって、選択したクロノグラフ針をリセットして零位置に復帰させるように構成されている。
【０００４】
【特許文献１】
特開２００２−８２１８３号公報
【特許文献２】
特開２００２−２０７０８９号公報
【０００５】
【発明が解決しようとする課題】
しかしながら、前記特許文献１及び特許文献２のいずれもが、クロノグラフ針を零位置に復帰させる際の回転方向（正逆回転）については考慮されておらず、クロノグラフ針がどの位置にあっても、一つの方向に回転させて零位置まで戻すようにしている。
したがって、クロノグラフ針の停止位置及びクロノグラフ針をリセット時に零位置まで回転させる方向によって、クロノグラフ針が零位置まで戻る時間が極めて長くなるという問題がある。
【０００６】
また、特許文献１に記載されたクロノグラフ時計においては、選択したクロノグラフ針を示すために、選択したクロノグラフ針に特殊な運動をさせており、回路構成が極めて複雑になるという問題がある。
さらに、特許文献２に記載されたクロノグラフ時計においては、クロノグラフ針リセットモードに移行する際に、計時動作等に誤動作を生じてしまう恐れがあるという問題がある。
【０００７】
本発明は、クロノグラフ針リセットモードにおいて、クロノグラフ針がどの位置に停止していても、クロノグラフ針を速やかに零位置まで戻すことができるようにすることを課題にしている。
また、本発明は、クロノグラフ針リセットモードに移行する際に、計時動作等に誤動作が生じないようにすることを課題としている。
さらに、本発明は、簡単な構成で、クロノグラフ針を選択してリセットできるようにすることを課題にしている。
【０００８】
【課題を解決するための手段】
本発明によれば、竜頭、時間計測の開始及び停止を行うためのスタートボタン及びクロノグラフ針を零位置に戻すためのリセットボタンを有するクロノグラフ時計において、前記竜頭を操作したときに前記リセットボタンが既に操作されているか否かに応じて、前記クロノグラフ針をリセットする際の前記スタートボタン及びリセットボタンのリセット用機能を、前記スタートボタン及びリセットボタンのリセット用機能が相違する複数のリセットモードに移行させる制御手段を備えて成ることを特徴とするクロノグラフ時計が提供される。制御手段は、竜頭を操作したときにリセットボタンが既に操作されているか否かに応じて、クロノグラフ針をリセットする際のスタートボタン及びリセットボタンのリセット用機能を、前記スタートボタン及びリセットボタンのリセット用機能が相違する複数のリセットモードに移行させる。
【０００９】
ここで、前記制御手段は、前記リセットモードにおいて前記スタートボタン及びリセットボタンに対して、前記クロノグラフ針及び該クロノグラフ針のリセット時回転方向を対応付けるように構成してもよい。
また、クロノグラフ用１／１０秒針及びクロノグラフ用秒分連動針を有し、前記制御手段は、前記竜頭を操作したときに前記リセットボタンが未だ操作されていない場合には、前記スタートボタンに対して前記クロノグラフ用１／１０秒針を正転リセットする機能を設定すると共に、前記リセットボタンに対して前記クロノグラフ用秒分連動針を正転リセットする機能を設定するように構成してもよい。
また、クロノグラフ用秒分連動針を有し、前記制御手段は、前記竜頭を操作したときに前記リセットボタンが既に操作されている場合には、前記スタートボタンに対して前記クロノグラフ用秒分連動針を逆転リセットする機能を設定すると共に、前記リセットボタンに対して前記クロノグラフ用秒分連動針を正転リセットする機能を設定するように構成してもよい。
【００１０】
また、クロノグラフ用１／１０秒針及び秒針を有し、前記制御手段は、前記竜頭を操作したときに前記リセットボタンが未だ操作されていない場合には、前記スタートボタンに対して前記クロノグラフ用１／１０秒針を正転リセットする機能を設定すると共に、前記リセットボタンに対して前記クロノグラフ用秒針を正転リセットする機能を設定するように構成してもよい。
また、クロノグラフ用分針を有し、前記制御手段は、前記竜頭を操作したときに前記リセットボタンが既に操作されている場合には、前記スタートボタンに対して前記クロノグラフ用分針を正転リセットする機能を設定すると共に、前記リセットボタンに対して前記クロノグラフ用分針を逆転リセットする機能を設定するように構成してもよい。
【００１１】
【発明の実施の形態】
図１は、本発明の第１の実施の形態に係るクロノグラフ時計のブロック図で、現在時刻を表示するための時刻針、１／１０秒単位で計測時間を表示するためのクロノグラフ用１／１０秒針及び計測時間を表示するために秒針及び分針が連動して回転するクロノグラフ用秒分連動針を有するアナログ・クロノグラフ電子時計の例を示している。
【００１２】
図１において、クロノグラフ時計は、基準信号を発生する発振回路１０１、前記基準信号を分周して計時用の計時基準信号を発生する分周回路１０２、スタートボタン（図２及び図３のスタートボタン２０２）の操作に応じて時間計測開始信号又は時間計測停止信号を出力する第１入力回路１０３、リセットボタン（図２及び図３のリセットボタン２０３）の操作に応じて信号を出力する第２入力回路１０４、竜頭（図２及び図３の竜頭２０４）の操作に応じて信号を出力する第３入力回路１０５、計時基準信号の計時動作や後述する処理あるいはクロノグラフ時計全体の制御を行い中央処理装置（ＣＰＵ）によって構成された制御手段としての制御回路１０６、現在時刻を表示するための時計用指針１０９、時計用指針１０９を回転駆動する第１モータ１０８、制御回路１０６からの信号に応答してモータ１０８を駆動する第１モータドライバ回路１０７、１／１０秒単位で計測時間を表示するための第１クロノグラフ用指針（クロノグラフ用１／１０秒針）１１２、第１クロノグラフ用指針１１２を回転駆動する第２モータ１１１、制御回路１０６からの信号に応答してモータ１１１を駆動する第２モータドライバ回路１１０、計測時間を秒及び分で表示するために秒針及び分針が連動して回転する第２クロノグラフ用指針（クロノグラフ用秒分連動針）１１５、第２クロノグラフ用指針１１５を回転駆動する第３モータ１１４、制御回路１０６からの信号に応答してモータ１１４を駆動する第３モータドライバ回路１１３を有している。
【００１３】
図２及び図３は、図１に示したクロノグラフ時計の外観正面図であり、図１と同一部分には同一符号を付している。尚、図２は時間計測状態を示す図、図３は零位置復帰動作状態を示す図である。
図２及び図３において、クロノグラフ時計は、クロノグラフ用１／１０秒針１１２、クロノグラフ用秒分連動針１１５、日付表示部２０１、クロノグラフモードにおける時間計測の開始操作及び停止操作を行うスタートボタン２０２、クロノグラフモードの計測時間停止状態でクロノグラフ用指針を零位置に復帰させるためのリセット操作を行うリセットボタン２０３、竜頭２０４を備えている。尚、リセットボタン２０３は、クロノグラフ針リセットモードに移行する際に操作する操作ボタンであり、クロノグラフ針リセットモードに移行させるときには他に機能を有しない操作ボタンである。
図４は、本発明の第１の実施の形態に係る制御回路１０６の動作を示すフローチャートである。
【００１４】
以下、図１〜図４を用いて本発明の第１の実施の形態の動作を詳細に説明する。
初期状態として、スタートボタン２０２、リセットボタン２０３、竜頭２０４は操作されていない状態にあるものとする。
先ず、現在時刻の表示動作について説明すると、分周回路１０２は、発振回路１０１から出力されるクロック信号を分周し、時刻を計時するための基準信号になる計時基準信号を出力する。
制御回路１０６は、前記計時基準信号を計数して時刻を表す時刻データを生成する。現在時刻を表す時刻データは、モータドライバ回路１０７に供給され、モータドライバ回路１０７は前記時刻データに応答してモータ１０８を回転駆動し、モータ１０８は時計用指針（例えば、時針、分針、秒針）１０９を回転駆動する。これにより、時計用指針１０９で現在時刻が表示される。
【００１５】
次に、時間計測動作を説明する。前記現在時刻を計時し表示している状態でスタートボタン２０２を押圧操作すると、入力回路１０３から時間計測の開始を指示するための時間計測開始信号が制御回路１０６に出力される。制御回路１０６は、前記時間計測開始信号に応答して前記計時基準信号を計数し、前記スタートボタン２０２操作開始時からの累積時間を計測する。前記累積時間中の１／１０秒を表す時間データはモータドライバ回路１１０に供給され、モータドライバ回路１１０は１／１０秒を表す前記時間データに応答してモータ１１１を回転駆動し、モータ１１１はクロノグラフ用１／１０秒針１１２を回転駆動する。これにより、クロノグラフ用１／１０秒針１１２で１／１０秒単位の時間表示がなされる。
【００１６】
同時に、前記累積時間中の秒分を表す時間データはモータドライバ回路１１３に供給され、モータドライバ回路１１３は秒分を表す前記時間データに応答してモータ１１４を回転駆動し、モータ１１４はクロノグラフ用秒分連動針１１５を回転駆動する。これにより、クロノグラフ用秒分連動針１１５で秒分単位の時間表示がなされる。
前記時間計測状態でスタートボタン２０２を押圧操作することにより時間計測停止操作を行うと、入力回路１０３から時間計測停止信号が制御回路１０６に出力され、制御回路１０６は時間計測動作を終了する。これにより、図２に示すように、クロノグラフ用１／１０秒針１１２及びクロノグラフ用秒分連動針１１５は計測した時間を表示した状態で停止する。
【００１７】
次に、クロノグラフ用指針１１２、１１５を零位置に復帰するリセット動作について説明する。
図２に示すように、クロノグラフ用１／１０秒針１１２及びクロノグラフ用秒分連動針１１５が停止した状態で、リセット動作に移行するためには、リセットボタン２０３を押圧操作した状態で竜頭２０４を引き操作することによって行うことができる。以下、リセット動作について詳細に説明する。
先ず、制御回路１０６は、竜頭２０４が引き操作されたか否かを判断し（ステップＳ４０１）、竜頭２０４が引き操作されていないと判断した場合には、クロノグラフ時計を時刻の計時表示動作を行う通常モードに設定し、計時表示動作を行う。
【００１８】
制御回路１０６は、ステップＳ４０１において、竜頭２０４が引き操作されていると判断した場合には、リセットボタン２０３が既に押圧操作されているか否かを判断する（ステップＳ４０２）。
制御回路１０６は、ステップＳ４０２において、リセットボタン２０３が未だ押圧操作されていないと判断した場合には、クロノグラフ時計をクロノグラフ針リセットモード１に設定した後（ステップＳ４０３）、スタートボタン２０２が押圧操作されたか否かを判断する（ステップＳ４０４）。
【００１９】
制御回路１０６は、ステップＳ４０４において、スタートボタン２０２が押圧操作されたと判断した場合、１／１０秒針１１２を１ステップ正転駆動する（ステップＳ４０７）。
制御回路１０６は、ステップＳ４０４において、スタートボタン２０２が押圧操作されていないと判断した場合、リセットボタン２０３が押圧操作されたか否か判断し（ステップＳ４０５）、リセットボタン２０３が押圧操作されたと判断した場合、秒分連動針１１５を１ステップ正転駆動する（ステップＳ４０８）。制御回路１０６は、ステップＳ４０５において、リセットボタン２０３が押圧操作されていないと判断した場合には処理を終了する。
【００２０】
一方、制御回路１０６は、ステップＳ４０２において、リセットボタン２０３が既に押圧操作されていると判断した場合には、リセットモードをクロノグラフ針リセットモード２に設定した後（ステップＳ４０９）、スタートボタン２０２が押圧操作されたか否かを判断する（ステップＳ４１０）。
制御回路１０６は、ステップＳ４１０において、スタートボタン２０２が押圧操作されたと判断した場合、秒分連動針１１５を１ステップ逆転駆動する（ステップＳ４１２）。
【００２１】
制御回路１０６は、ステップＳ４１０において、スタートボタン２０２が押圧操作されていないと判断した場合、リセットボタン２０３が押圧操作されたか否か判断し（ステップＳ４１１）、リセットボタン２０３が押圧操作されたと判断した場合、秒分連動針１１５を１ステップ正転駆動する（ステップＳ４１３）。制御回路１０６は、ステップＳ４１１において、リセットボタン２０３が押圧操作されていないと判断した場合には処理を終了する。
前記処理を繰り返すことにより、１／１０秒針１１２や秒分連動針１１５を零位置に復帰させる。
【００２２】
以上のように、本発明の第１の実施の形態に係るクロノグラフ時計は、竜頭２０４、時間計測の開始及び停止を行うためのスタートボタン２０２とクロノグラフ針を零位置に戻すためのリセットボタン２０３とを有するクロノグラフ時計において、竜頭２０４を操作したときにリセットボタン２０３が操作されているか否かに応じて、複数のクロノグラフ針１１２、１１５をリセットする際のスタートボタン２０２及びリセットボタン２０３のリセット用機能を、スタートボタン２０２及びリセットボタン２０３のリセット用機能が相違する複数のリセットモード（クロノグラフ針リセットモード１、２）に移行させる制御回路１０６を備えて成ることを特徴としている。
【００２３】
したがって、クロノグラフ針リセットモードにおいて、クロノグラフ針がどの位置に停止していても、クロノグラフ針を速やかに零位置まで戻すことが可能になる。
また、クロノグラフ針リセットモードに移行する場合、その時点では他の機能しない操作ボタン（本実施の形態ではリセットボタン２０３）を操作するように構成しているため、前記操作ボタンの操作によって計時動作等に誤動作が生じることがない。
さらに、各リセットモードにおいて操作ボタンに対して、クロノグラフ針及び該クロノグラフ針のリセット時回転方向を対応付けているため、即ち、各クロノグラフ針リセットモード１、２において、各操作ボタン２０２、２０３のリセット時の機能が予め定められているので、各操作ボタン２０２、２０３に関連付けた機能で対応するクロノグラフ針１１２、１１５を選択してリセットすることが可能になり、構成を簡略化することが可能になる。
【００２４】
次に、本発明の第２の実施の形態に係るクロノグラフ時計について説明する。
図５は、本発明の第２の実施の形態に係るクロノグラフ時計のブロック図で、現在時刻を表示するための時刻針、１／１０秒単位で計測時間を表示するためのクロノグラフ用１／１０秒針、１秒単位で計測時間を表示するためのクロノグラフ用秒針、１分単位で計測時間を表示するためのクロノグラフ用分針を有するアナログ・クロノグラフ電子時計の例を示しており、図１と同一部分には同一符号を付している。
【００２５】
尚、本第２の実施の形態に係るクロノグラフ時計は、前記第１のクロノグラフ時計と同様に、日付表示部（図２及び図３の日付表示部２０１に相当する。）、時間計測の開始操作及び停止操作を行うスタートボタン（図２及び図３のスタートボタン２０２に相当する。）、クロノグラフ用指針を零位置に復帰させるためのリセット操作を行うリセットボタン（図２及び図３のリセットボタン２０３に相当する。）、竜頭（図２及び図３の竜頭２０４に相当する。）を備えており、説明の便宜上、スタートボタン、リセットボタン及び竜頭には図２及び図３と同一の符号を付して説明する。
【００２６】
図５において、クロノグラフ時計は、基準信号を発生する発振回路１０１、前記基準信号を分周して計時用の計時基準信号を発生する分周回路１０２、スタートボタン２０２の操作に応じて時間計測開始信号又は時間計測停止信号を出力する第１入力回路１０３、リセットボタン２０３の操作に応じて信号を出力する第２入力回路１０４、竜頭２０４の操作に応じて信号を出力する第３入力回路１０５、計時基準信号の計時動作や後述する処理あるいはクロノグラフ時計全体の制御を行い中央処理装置（ＣＰＵ）によって構成された制御回路１０６、現在時刻を表示するための時計用指針１０９、時計用指針１０９を回転駆動する第１モータ１０８、制御回路１０６からの信号に応答してモータ１０８を駆動する第１モータドライバ回路１０７、１／１０秒単位で計測時間を表示するための第１クロノグラフ用指針（クロノグラフ用１／１０秒針）１１２、第１クロノグラフ用指針１１２を回転駆動する第２モータ１１１、制御回路１０６からの信号に応答してモータ１１１を駆動する第２モータドライバ回路１１０、１秒単位で計測時間を表示するための第２クロノグラフ用指針（クロノグラフ用秒針）５０３、第２クロノグラフ用指針５０３を回転駆動する第３モータ５０２、制御回路１０６からの信号に応答してモータ５０２を駆動する第３モータドライバ回路５０１、１分単位で計測時間を表示するための第３クロノグラフ用指針（クロノグラフ用分針）５０６、第３クロノグラフ用指針５０６を回転駆動する第４モータ５０５、制御回路１０６からの信号に応答してモータ５０５を駆動する第４モータドライバ回路５０４を有している。
図６は、本発明の第２の実施の形態に係る制御回路１０６の動作を示すフローチャートで、図４と同一処理を行う部分には同一符号を付している。
【００２７】
以下、図５及び図６を用いて本発明の第２の実施の形態の動作を詳細に説明する。
初期状態として、スタートボタン２０２、リセットボタン２０３、竜頭２０４は操作されていない状態にあるものとする。この状態では、前記第１の実施の形態と同様に動作して、時計用指針１０９で現在時刻が表示される。
時間計測動作では、前記現在時刻を計時し表示している状態でスタートボタン２０２を押圧操作すると、入力回路１０３から時間計測の開始を指示するための時間計測開始信号が制御回路１０６に出力される。制御回路１０６は、前記時間計測開始信号に応答して前記計時基準信号を計数し、前記スタートボタン２０２操作開始時からの累積時間を計測する。
【００２８】
前記累積時間中の１／１０秒を表す時間データはモータドライバ回路１１０に供給され、モータドライバ回路１１０は１／１０秒を表す前記時間データに応答してモータ１１１を回転駆動し、モータ１１１はクロノグラフ用１／１０秒針１１２を回転駆動する。これにより、クロノグラフ用１／１０秒針１１２で１／１０秒単位の時間表示がなされる。
同時に、前記累積時間中の秒を表す時間データはモータドライバ回路５０１に供給され、モータドライバ回路５０１は秒を表す前記時間データに応答してモータ５０２を回転駆動し、モータ５０２はクロノグラフ用秒針５０３を回転駆動する。これにより、クロノグラフ用秒針５０３で秒単位の時間表示がなされる。
【００２９】
また、前記累積時間中の分を表す時間データはモータドライバ回路５０４に供給され、モータドライバ回路５０４は分を表す前記時間データに応答してモータ５０５を回転駆動し、モータ５０５はクロノグラフ用分針５０６を回転駆動する。これにより、クロノグラフ用分針５０６で分単位の時間表示がなされる。
前記時間計測状態でスタートボタン２０２を押圧操作することにより時間計測停止操作を行うと、入力回路１０３から時間計測停止信号が制御回路１０６に出力され、制御回路１０６は時間計測動作を終了する。これにより、クロノグラフ用１／１０秒針１１２、クロノグラフ用秒針５０３、クロノグラフ用分針５０６は計測した時間を表示した状態で停止する。
【００３０】
次に、クロノグラフ用指針１１２、５０３、５０６を零位置に復帰するリセット動作について説明する。
クロノグラフ用１／１０秒針１１２、クロノグラフ用秒針５０３、クロノグラフ用分針５０６が停止した状態で、リセット動作に移行するためには、リセットボタン２０３を押圧操作した状態で竜頭２０４を引き操作することによって行うことができる。以下、図６を参照して、リセット動作について詳細に説明する。先ず、制御回路１０６は、竜頭２０４が引き操作されたか否かを判断し（ステップＳ４０１）、竜頭２０４が引き操作されていないと判断した場合には、クロノグラフ時計を時刻の計時表示動作を行う通常モードに設定し、計時表示動作を行う。
【００３１】
制御回路１０６は、ステップＳ４０１において、竜頭２０４が引き操作されていると判断した場合には、リセットボタン２０３が既に押圧操作されているか否かを判断する（ステップＳ４０２）。
制御回路１０６は、ステップＳ４０２において、リセットボタン２０３が押圧操作されていないと判断した場合には、クロノグラフ針リセットモード１に設定した後（ステップＳ４０３）、スタートボタン２０２が押圧操作されたか否かを判断する（ステップＳ４０４）。
【００３２】
制御回路１０６は、ステップＳ４０４において、スタートボタン２０２が押圧操作されたと判断した場合、１／１０秒針１１２を１ステップ正転駆動する（ステップＳ４０７）。
制御回路１０６は、ステップＳ４０４において、スタートボタン２０２が押圧操作されていないと判断した場合、リセットボタン２０３が押圧操作されたか否か判断し（ステップＳ４０５）、リセットボタン２０３が押圧操作されたと判断した場合、秒針５０３を１ステップ正転駆動する（ステップＳ６０１）。制御回路１０６は、ステップＳ４０５において、リセットボタン２０３が押圧操作されていないと判断した場合には処理を終了する。
【００３３】
一方、制御回路１０６は、ステップＳ４０２において、リセットボタン２０３が既に押圧操作されていると判断した場合には、リセットモードをクロノグラフ針リセットモード２に設定した後（ステップＳ４０９）、スタートボタン２０２が押圧操作されたか否かを判断する（ステップＳ４１０）。
制御回路１０６は、ステップＳ４１０において、スタートボタン２０２が押圧操作されたと判断した場合、分針５０６を１ステップ正転駆動する（ステップＳ６０２）。
【００３４】
制御回路１０６は、ステップＳ４１０において、スタートボタン２０２が押圧操作されていないと判断した場合、リセットボタン２０３が押圧操作されたか否か判断し（ステップＳ４１１）、リセットボタン２０３が押圧操作されたと判断した場合には、分針５０６を１ステップ逆転駆動する（ステップＳ６０３）。制御回路１０６は、ステップＳ４１１において、リセットボタン２０３が押圧操作されていないと判断した場合には処理を終了する。
前記処理を繰り返すことにより、１／１０秒針１１２、秒針５０３及び分針５０６を零位置に復帰させる。
以上のように、本発明の第２の実施の形態に係るクロノグラフ時計によれば、前記第１の実施の形態と同様に、クロノグラフ針リセットモードにおいて、クロノグラフ針がどの位置に停止していても、複数のクロノグラフ針を速やかに零位置まで戻すことが可能になる等の効果を奏する。
【００３５】
【発明の効果】
本発明に係るクロノグラフ時計によれば、クロノグラフ針リセットモードにおいて、クロノグラフ針がどの位置に停止していても、クロノグラフ針を速やかに零位置まで戻すことが可能になる。
また、クロノグラフ針リセットモードに移行する際に、その時点では他に機能を有しないリセットボタンを使用するように構成しているため、リセットボタンの使用によって計時動作等に誤動作を起こすことがない。
また、リセット時の操作ボタンの機能及びクロノグラフ針を対応付けているため、簡単な構成でクロノグラフ針を選択してリセットすることが可能になる。
【図面の簡単な説明】
【図１】本発明の第１の実施の形態に係るクロノグラフ時計のブロック図である。
【図２】本発明の第１の実施の形態に係るクロノグラフ時計の外観正面図である。
【図３】本発明の第１の実施の形態に係るクロノグラフ時計の外観正面図である。
【図４】本発明の第１の実施の形態に係るクロノグラフ時計の動作を示すフローチャートである。
【図５】本発明の第２の実施の形態に係るクロノグラフ時計のブロック図である。
【図６】本発明の第２の実施の形態に係るクロノグラフ時計の動作を示すフローチャートである。
【符号の説明】
１０１・・・発振回路
１０２・・・分周回路
１０３〜１０５・・・入力回路
１０６・・・制御手段としての制御回路
１０７、１１０、１１３、５０１、５０４・・・モータドライバ回路
１０８、１１１、１１４、５０２、５０５・・・モータ
１０９・・・時計用指針
１１２、１１５、５０３、５０６・・・クロノグラフ用指針
２０１・・・曜日表示部
２０２・・・スタートボタン
２０３・・・リセットボタン
２０４・・・竜頭
【図１】
2004226078.tif 000003
【図２】
2004226078.tif 000004
【図３】
2004226078.tif 000005
【図４】
2004226078.tif 000006
【図５】
2004226078.tif 000007
【図６】
2004226078.tif 000008